(57)【特許請求の範囲】
【請求項１】
掲示媒体と、掲示媒体を掲示する掲示部とを備える情報配信システムであって、
前記掲示媒体は、
電磁誘導方式又は電磁結合方式で通信可能であり、接続先であるサーバの接続先情報を記憶する媒体ＩＣチップと、
前記媒体ＩＣチップに接続された媒体ループアンテナとを備え、
前記掲示部は、
電磁誘導方式又は電磁結合方式で通信可能であり、前記掲示部の設置場所情報を記憶する掲示部ＩＣチップと、
前記掲示部ＩＣチップに接続された掲示部ループアンテナとを備え、
前記媒体ループアンテナ及び前記掲示部ループアンテナは、重なる位置に配置され、
前記掲示部ループアンテナに携帯端末をかざす領域であり、前記携帯端末の端末ループアンテナと前記媒体ループアンテナ及び前記掲示部ループアンテナとが接続可能なかざし領域を備えること、
を特徴とする情報配信システム。
【請求項２】
請求項１に記載の情報配信システムにおいて、
前記媒体ループアンテナは、
前記端末ループアンテナとの間で信号伝達する媒体第１ループアンテナと、
前記媒体第１ループアンテナに対して電気的に接続され、前記掲示部ループアンテナとの間で信号伝達する媒体第２ループアンテナとを備えること、
を特徴とする情報配信システム。
【請求項３】
掲示媒体と、掲示媒体を掲示する掲示部とを備える情報配信システムであって、
前記掲示媒体は、
電磁誘導方式又は電磁結合方式で通信可能であり、接続先であるサーバの接続先情報を記憶する媒体ＩＣチップと、
前記媒体ＩＣチップに接続された媒体ループアンテナとを備え、
前記掲示部は、
電磁誘導方式又は電磁結合方式で通信可能であり、前記掲示部の設置場所情報を記憶する掲示部ＩＣチップと、
前記掲示部ＩＣチップに接続された掲示部ループアンテナとを備え、
前記媒体ループアンテナは、
携帯端末の端末ループアンテナとの間で信号伝達する媒体第１ループアンテナと、
前記媒体第１ループアンテナに対して電気的に接続され、前記掲示部ループアンテナとの間で信号伝達する媒体第２ループアンテナとを備えること、
を特徴とする情報配信システム。
【請求項４】
請求項１から請求項３のいずれかに記載の情報配信システムにおいて、
配信情報を記憶するサーバ記憶部と、
サーバ制御部とを備えるサーバを備え、
携帯端末の端末制御部は、
端末ループアンテナと、前記媒体ループアンテナ及び前記掲示部ループアンテナとを介して、前記媒体ＩＣチップの前記接続先情報及び前記掲示部ＩＣチップの前記設置場所情報を取得し、
前記接続先情報に基づいて前記サーバに接続し、前記設置場所情報を前記サーバに送信し、
前記サーバ制御部は、
前記携帯端末からの接続に応じて、前記サーバ記憶部から前記配信情報を読み出して前記携帯端末に配信する情報配信処理を行い、
前記携帯端末から受信した前記設置場所情報に基づいて、前記掲示媒体の設置場所を解析する解析処理を行い、
前記端末制御部は、
前記サーバから受信した前記配信情報を、情報伝達部から出力すること、
を特徴とする情報配信システム。
【請求項５】
請求項４に記載の情報配信システムにおいて、
前記掲示媒体は、前記媒体ＩＣチップの前記接続先情報が同一であり、かつ、設置場所が異なる複数の前記掲示媒体が用意されており、
前記サーバ制御部は、前記解析処理として、前記携帯端末から受信した前記設置場所情報に基づいて、前記掲示媒体の設置場所毎の接続数を解析すること、
を特徴とする情報配信システム。
【請求項６】
請求項４又は請求項５に記載の情報配信システムにおいて、
前記サーバは、
配信情報を記憶するサーバ記憶部を備える配信サーバと、
前記配信サーバとの間を通信網で接続された解析サーバとを備え、
前記サーバ制御部は、
前記配信サーバに設けられた配信サーバ制御部と、
前記解析サーバに設けられた解析サーバ制御部とを備え、
前記配信サーバ制御部は、
前記情報配信処理と、前記携帯端末から受信した前記設置場所情報を前記解析サーバへ送信する処理とを行い、
前記解析サーバ制御部は、
前記配信サーバを介して受信した前記設置場所情報に基づいて、前記解析処理を行うこと、
を特徴とする情報配信システム。
【請求項７】
掲示媒体と、掲示媒体を掲示する掲示部と、利用者が所持する携帯端末と、サーバとを備える情報配信システムであって、
前記掲示媒体は、
電磁誘導方式又は電磁結合方式で通信可能であり、接続先である前記サーバの接続先情報を記憶する媒体ＩＣチップと、
前記媒体ＩＣチップに接続された媒体ループアンテナとを備え、
前記掲示部は、
電磁誘導方式又は電磁結合方式で通信可能であり、前記掲示部の設置場所情報を記憶する掲示部ＩＣチップと、
前記掲示部ＩＣチップに接続された掲示部ループアンテナとを備え、
前記携帯端末は、
端末ループアンテナと、
利用者に対して情報を伝達する情報伝達部と、
端末制御部とを備え、
前記サーバは、
配信情報を記憶するサーバ記憶部と、
サーバ制御部とを備え、
前記端末制御部は、
前記携帯端末の前記端末ループアンテナを、前記媒体ループアンテナ及び前記掲示部ループアンテナと通信させることにより、前記端末ループアンテナ及び前記媒体ループアンテナを介して前記媒体ＩＣチップの前記接続先情報を取得し、前記端末ループアンテナ及び前記掲示部ループアンテナを介して前記掲示部ＩＣチップの前記設置場所情報を取得し、
前記接続先情報に基づいて前記サーバに接続し、前記設置場所情報を前記サーバに送信し、
前記サーバ制御部は、
前記携帯端末からの接続に応じて、前記サーバ記憶部から前記配信情報を読み出して前記携帯端末に配信する情報配信処理を行い、
前記携帯端末から受信した前記設置場所情報に基づいて、前記掲示媒体の設置場所を解析する解析処理を行い、
前記端末制御部は、
前記サーバから受信した前記配信情報を、前記情報伝達部から出力し、
前記媒体ループアンテナは、
前記端末ループアンテナとの間で信号伝達する媒体第１ループアンテナと、
前記媒体第１ループアンテナに対して電気的に接続され、前記掲示部ループアンテナとの間で信号伝達する媒体第２ループアンテナとを備え、
前記端末制御部は、
前記端末ループアンテナ、前記媒体第１ループアンテナ、前記媒体第２ループアンテナ、前記掲示部ループアンテナを介して、前記掲示部ＩＣチップの前記設置場所情報を取得すること、
を特徴とする情報配信システム。
【請求項８】
電磁誘導方式又は電磁結合方式で通信可能であり、接続先であるサーバの接続先情報を記憶する媒体ＩＣチップと、
前記媒体ＩＣチップに接続された媒体ループアンテナとを備え、
前記媒体ループアンテナは、
携帯端末の端末ループアンテナとの間で信号伝達する媒体第１ループアンテナと、
前記媒体第１ループアンテナに対して電気的に接続され、掲示部の掲示部ループアンテナとの間で信号伝達する媒体第２ループアンテナとを備えること、
を特徴とする掲示媒体。
【発明の詳細な説明】
【技術分野】
【０００１】
本発明は、サーバの情報を携帯端末に配信する情報配信システム、掲示媒体に関するものである。
【背景技術】
【０００２】
従来、記憶媒体（ＩＣチップ、ラベル等）を紙等の広告媒体等に貼り付けて掲示する通信システムがあった（例えば特許文献１）。この通信システムは、情報端末を広告媒体に近づけ、広告媒体等からＵＲＬ情報等を読み取り、情報端末の画面に表示させる。
しかし、従来の通信システムは、サーバから配信される広告情報に関連した画面等を、情報端末に表示させるものでしかなかった。
【先行技術文献】
【特許文献】
【０００３】
【特許文献１】特開２００２−１８５５６５号公報
【発明の概要】
【発明が解決しようとする課題】
【０００４】
本発明の課題は、ＩＣチップの情報を利用した情報の配信だけではなく、掲示媒体の掲示効果を解析できる情報配信システムを提供することである。
【課題を解決するための手段】
【０００５】
本発明は、以下のような解決手段により、課題を解決する。なお、理解を容易にするために、本発明の実施形態に対応する符号を付して説明するが、これに限定されるものではない。また、符号を付して説明した構成は、適宜改良してもよく、また、少なくとも一部を他の構成物に代替してもよい。
【０００６】
・第１の発明は、掲示媒体（４０，２４０）と、掲示媒体を掲示する掲示部（３０，２３０）と、利用者が所持する携帯端末（２０，２２０）と、サーバ（５０，６０）とを備える情報配信システムであって、前記掲示媒体は、電磁誘導方式又は電磁結合方式で通信可能であり、接続先である前記サーバの接続先情報を記憶する媒体ＩＣチップ（４２，２４２）と、前記媒体ＩＣチップに接続された媒体ループアンテナ（４１，２４１ａ，２４１ｂ）とを備え、前記掲示部は、電磁誘導方式又は電磁結合方式で通信可能であり、前記掲示部の設置場所情報を記憶する掲示部ＩＣチップ（３２，３２−Ｐ１（１），３２−Ｐ１（２），３２−Ｐ２，３２−Ｐ３，２３２）と、前記掲示部ＩＣチップに接続された掲示部ループアンテナ（３１，２３１）とを備え、前記携帯端末は、端末ループアンテナ（２１，２２１）と、利用者に対して情報を伝達する情報伝達部（２２）と、端末制御部（２４，２２４）とを備え、前記サーバは、配信情報を記憶するサーバ記憶部（５１ｂ）と、サーバ制御部（５２，６２）とを備え、前記端末制御部は、利用者が前記携帯端末の前記端末ループアンテナを、前記媒体ループアンテナ及び前記掲示部ループアンテナと通信させることにより、前記端末ループアンテナ及び前記媒体ループアンテナを介して前記媒体ＩＣチップの前記接続先情報を取得し、前記端末ループアンテナ及び前記掲示部ループアンテナを介して前記掲示部ＩＣチップの前記設置場所情報を取得し、前記接続先情報に基づいて前記サーバに接続し、前記設置場所情報を前記サーバに送信し、前記サーバ制御部は、前記携帯端末からの接続に応じて、前記サーバ記憶部から前記配信情報を読み出して前記携帯端末に配信する情報配信処理を行い、前記携帯端末から受信した前記設置場所情報に基づいて、前記掲示媒体の設置場所を解析する解析処理を行い、前記端末制御部は、前記サーバから受信した前記配信情報を、前記情報伝達部から出力すること、を特徴とする情報配信システムである。
・第２の発明は、第１の発明の情報配信システムにおいて、前記掲示媒体は、前記媒体ＩＣチップの前記接続先情報（４２ａ）が同一であり、かつ、設置場所（Ｐ，Ｐ１，Ｐ２，Ｐ３）が異なる複数の前記掲示媒体（４０，２４０）が用意されており、前記サーバ制御部（６２）は、前記解析処理として、前記携帯端末（２０，２２０）から受信した前記設置場所情報（Ｐ，Ｐ１（１），Ｐ１（２），Ｐ２，Ｐ３）に基づいて、前記掲示媒体の設置場所毎の接続数を解析すること、を特徴とする情報配信システムである。
・第３の発明は、第１又は第２の発明の情報配信システムにおいて、前記サーバは、配信情報を記憶するサーバ記憶部を備える配信サーバ（５０）と、前記配信サーバとの間を通信網で接続された解析サーバ（６０）とを備え、前記サーバ制御部は、前記配信サーバに設けられた配信サーバ制御部（５２）と、前記解析サーバに設けられた解析サーバ制御部（６２）とを備え、前記配信サーバ制御部は、前記情報配信処理と、前記携帯端末（２０）から受信した前記設置場所情報（Ｐ，Ｐ１（１），Ｐ１（２），Ｐ２，Ｐ３）を前記解析サーバへ送信する処理とを行い、前記解析サーバ制御部は、前記配信サーバを介して受信した前記設置場所情報に基づいて、前記解析処理を行うこと、を特徴とする情報配信システムである。
・第４の発明は、第１から第３までのいずれかの発明の情報配信システムにおいて、前記媒体ループアンテナは、前記端末ループアンテナとの間で信号伝達する媒体第１ループアンテナ（２４１ａ）と、前記媒体第１ループアンテナに対して電気的に接続され、前記掲示部ループアンテナ（２３１）との間で信号伝達する媒体第２ループアンテナ（２４１ｂ）とを備え、前記端末制御部（２２４）は、前記端末ループアンテナ（２２１）、前記媒体第１ループアンテナ（２４１ａ）、前記媒体第２ループアンテナ（２４１ｂ）、前記掲示部ループアンテナ（２３１）を介して、前記掲示部ＩＣチップ（２３２）の前記設置場所情報を取得すること、を特徴とする情報配信システムである。
【発明の効果】
【０００７】
本発明によれば、ＩＣチップの情報を利用した情報の配信だけではなく、掲示媒体の掲示効果を解析できる情報配信システムを提供できる。
【図面の簡単な説明】
【０００８】
【図１】第１実施形態の広告システム１の基本構成を説明する図である。
【図２】第１実施形態の掲示部３０、ポスタ４０を示す図である。
【図３】第１実施形態の携帯端末２０、掲示部３０、ポスタ４０が通信する構成を説明する断面図である。
【図４】第１実施形態の広告システム１のブロック図である。
【図５】第１実施形態の携帯端末２０、解析サーバ６０の処理のフローチャートである。
【図６】第２実施形態の広告システム２０１の基本構成を説明する図である。
【発明を実施するための形態】
【０００９】
（第１実施形態）
図１は、第１実施形態の広告システム１の基本構成を説明する図である。
図２は、第１実施形態の掲示部３０、ポスタ４０を示す図である。
図２（ａ）は、掲示部３０の正面図である。図２（ａ１）は、左側Ｘ１から見た断面図である。図２（ａ２）は、正面図（手前側Ｙ１から見た図）である。
図２（ｂ）は、ポスタ４０の正面図である。
図２（ｃ）は、ポスタ４０の掲示部３０への掲示を説明する図である。
なお、図２（ｂ）、図２（ｃ）は、ポスタ４０の裏面に配置されたループアンテナ４１、ＩＣチップ４２を透視して実線で示す。
図３は、第１実施形態の携帯端末２０、掲示部３０、ポスタ４０が通信する構成を説明する断面図（図２（ａ２）のIII−III部断面図）である。
図１に示すように、広告システム１（情報配信システム）は、利用者が携行する携帯電話機等の携帯端末２０が、掲示部３０、ポスタ４０のＩＣチップ３２，４２を利用して、配信サーバ５０、解析サーバ６０と通信するシステムである。配信サーバ５０及び解析サーバ６０は、インターネット等の通信網２を介して情報通信できる。また、携帯端末２０及び配信サーバ５０は、基地局３を含む通信網２を介して情報通信できる。
【００１０】
広告システム１は、携帯端末２０、掲示部３０、ポスタ４０（掲示媒体）、配信サーバ５０、解析サーバ６０を備える。
携帯端末２０は、利用者が携行する携帯電話機、ＰＤＡ等の情報通信端末である。
携帯端末２０は、ループアンテナ２１（端末ループアンテナ）、表示部２２（情報伝達部）、アンテナ２３、制御部２４を備える。
【００１１】
ループアンテナ２１は、電磁誘導方式で通信を行うループコイル式のアンテナである。ループアンテナ２１は、その両端が制御部２４に接続される。
ループアンテナ２１は、携帯端末２０に内蔵されている。ループアンテナ２１は、掲示部３０のループアンテナ３１（後述する）との間の信号伝達、ポスタ４０のループアンテナ４１（後述する）との間の信号伝達を行う。
【００１２】
表示部２２は、例えば、液晶表示装置である。表示部２２は、携帯端末２０の操作情報を表示したり、後述するように配信情報を表示して利用者に伝達する。
アンテナ２３は、携帯端末２０が通信網２に接続するために、基地局３との間で情報を無線で通信するためのものである。
制御部２４は、携帯端末２０を統括的に制御する制御部であり、例えばＣＰＵ等から構成される。
【００１３】
掲示部３０は、ポスタ４０を取り付けるための掲示板等である。
掲示部３０は、ループアンテナ３１（掲示部ループアンテナ）、ＩＣチップ３２（掲示部ＩＣチップ）、フレーム３４、パネル３５を備える。
ループアンテナ３１は、携帯端末２０のループアンテナ２１と同様なアンテナである。ループアンテナ３１は、ループアンテナ２１との間で電磁誘導方式により信号伝達（結合）する。ループアンテナ３１は、例えば、エッチング等の手法により、プリント配線基板上に銅パターンを配線して形成される。
【００１４】
ＩＣチップ３２は、電磁誘導方式で通信可能な半導体集積回路である。ＩＣチップ３２は、その動作に必要なプログラム、情報等を記憶する記憶部と、この記憶部に記憶された各種プログラムを適宜読み出して実行することによりその動作を統括的に制御する制御部とを備える。ＩＣチップ３２は、ループアンテナ３１の両端に接続されている。
後述するように、ＩＣチップ３２の記憶部は、掲示部３０の設置場所情報を記憶している。
【００１５】
図２（ａ）に示すように、フレーム３４、パネル３５は、設定場所の壁面３９等に、ネジ止め等によって設置（固定）される。フレーム３４、パネル３５は、個別に形成され組み合わされていても、同一部材により一体的に形成されてもよい。
フレーム３４は、掲示部３０の縁部を形成する枠体部材である。フレーム３４の内枠の大きさは、ポスタ４０の外形とほぼ等しい。このため、ポスタ４０は、フレーム３４の内枠に合わせて掲示されることにより、掲示部３０に対して位置決めされる。
パネル３５は、掲示部３０の底部を形成する板状部材である。パネル３５の表面（手前側Ｙ１の面）には、ポスタ４０が掲示される。
【００１６】
ループアンテナ３１、ＩＣチップ３２は、パネル３５表面を窪ませた凹部３５ａ内に収容される。
ポスタ４０をフレーム３４に合うように掲示した状態で、ＺＸ平面において、掲示部３０のループアンテナ３１は、ポスタ４０のループアンテナ４１（後述する）の位置に対応している。すなわち、鉛直方向Ｚにおいて、フレーム３４内でのループアンテナ３１の中心位置Ｚ３１は、ポスタ４０のループアンテナ４１の中心位置Ｚ４１に等しい。
また、奥行方向Ｙにおいて、掲示部３０のループアンテナ３１は、ポスタ４０のループアンテナ４１に対して、十分に近接して配置される。これらの距離は、携帯端末２０がポスタ４０にかざされた状態で、携帯端末２０のループアンテナ２１が、ループアンテナ３１及びループアンテナ４１との間で、同時に信号伝達できる程度に短い（図３参照）。
つまり、掲示部３０は、作業者がポスタ４０をフレーム３４の内枠に合わせて掲示すれば、ループアンテナ３１及びループアンテナ４１を、ＺＸ平面において位置を合わせて配置し、かつ、奥行方向Ｙにおいて、十分に近接して配置できるようになっている。
これにより、作業者は、従来の電波ポスタと同様に、ポスタ４０を簡単に取り付けできる。
【００１７】
なお、掲示部３０は、必要に応じて、ループアンテナ３１の背面側（奥側Ｙ２）に、シート状の磁性体を配置してもよい。これは、金属等に形成された壁面３９であっても、電磁誘導による信号伝達をできるようにするためである。
【００１８】
図２（ｂ）、図２（ｃ）に示すように、ポスタ４０は、表面である広告面４０ａに印刷等による広告表示が施されている。ポスタ４０は、画鋲、接着テープ等によって、パネル３５に交換可能に取り付けられる。
ポスタ４０は、紙等の印刷シートの裏面（印刷がされた表面とは反対側の面）に、ループアンテナ４１（媒体ループアンテナ）、ＩＣチップ４２（媒体ＩＣチップ）を備える。ループアンテナ４１及びＩＣチップ４２は、ポスタ４０に直接形成してもよいし、ＩＣカード状に形成してポスタ４０に貼付してもよい。
【００１９】
ループアンテナ４１は、かざし領域４６（図２（ｂ）参照）の裏面に配置されている。ループアンテナ４１は、掲示部３０のループアンテナ３１と同様なアンテナである。ループアンテナ４１の大きさは、掲示部３０のループアンテナ３１とほぼ同等である。ループアンテナ４１は、携帯端末２０のループアンテナ２１との間で電磁誘導方式により信号伝達（結合）する。
なお、ループアンテナ４１及び３１は、重なり合った際の携帯端末との通信が良好となるように、ループアンテナ４１と３１とが重なり合った際の共振周波数が１３〜１６ＭＨｚとなることが望ましい。
ＩＣチップ４２は、ＩＣチップ３２と同様な集積回路である。ＩＣチップ４２の入出力部（リードフレーム等）は、ループアンテナ４１に電気的に接続されている。
ＩＣチップ４２の記憶部は、携帯端末２０の接続先である配信サーバ５０にアクセスするためのＵＲＬ（Uniform  Resource  Locator）情報４２ａ（接続先情報）を記憶している。
広告主である百貨店は、ＵＲＬ情報４２ａが異なるＩＣチップ４２のポスタ４０に交換すれば、携帯端末２０の接続先を変更し、表示部２２の表示内容を変更できる。
【００２０】
広告面４０ａは、宣伝領域４５、かざし領域４６を有する。
宣伝領域４５には、小売店（○×百貨店）のバーゲンの広告が印刷されている。
かざし領域４６は、利用者が携帯端末２０をかざす領域である。広告面には、利用者がかざし領域４６を視認できるように、四角形の印刷４６ａが施されている。
ポスタ４０が掲示された状態において、かざし領域４６は、ループアンテナ３１に対応するように配置されている。つまり、フレーム３４の内枠内におけるループアンテナ３１の中心位置（Ｘ３１，Ｚ３１）と、印刷４６ａの中心位置（Ｘ４６，Ｚ４６）とは、等しい。
また、上記配置関係によって、ポスタ４０が掲示された状態では、ループアンテナ４１及びＩＣチップ４２は、パネル３５の凹部３５ａ内に配置される。
【００２１】
（通信方法）
携帯端末２０と、掲示部３０及びポスタ４０との間の通信方法について説明する。
携帯端末２０のループアンテナ２１及び掲示部３０のループアンテナ３１間、携帯端末２０のループアンテナ２１及びポスタ４０のループアンテナ４１間は、以下のように、それぞれ電磁誘導方式によって非接触で接続される。これらの電磁誘導方式を用いた通信方式は、ＩＳＯ／ＩＥＣ１４４４３、ＩＳＯ／ＩＥＣ１５６９３、ＩＳＯ／ＩＥＣ１８０９２にて規格化されており、１３．５６ＭＨｚの信号周波数が用いられる。
【００２２】
図３に示すように、利用者が携帯端末２０をポスタ４０のかざし領域４６（図２参照）にかざすと、ループアンテナ２１が形成する磁界によって、掲示部３０のループアンテナ３１に電流が発生して、ＩＣチップ３２にＩＣチップ駆動電力及び信号が供給される。これにより、ＩＣチップ３２は、携帯端末２０と情報の送受信を行なう。必要な情報は、この磁界に乗せられる。
同様に、ポスタ４０のループアンテナ４１に電流が発生して、ＩＣチップ４２に電力が供給され、ＩＣチップ４２は、携帯端末２０と情報の送受信を行なう。
【００２３】
なお、携帯端末２０は、異なるＩＣチップ３２，４２と通信するために、アンチコリジョン機能を有する。つまり、携帯端末２０は、ＩＣチップ３２，４２を個別に指定して通信するようになっている。
【００２４】
図４は、第１実施形態の広告システム１のブロック図である。
広告システム１は、異なる設置場所Ｐ（Ｐ１〜Ｐ３）に設置された４つの掲示部３０（３０−Ｐ１（１），３０−Ｐ１（２），３０−Ｐ２，３０−Ｐ３）及びポスタ４０の組みを備える。なお、図４には、広告システム１は、簡略して４組みである例を説明するが、実際にはより多くの組みを備える。掲示部３０は、それぞれ設置場所Ｐ（駅の出口）の壁面３９（図２参照）に配置される。
掲示部３０−Ｐ１（１），３０−Ｐ１（２）は、同じ設置場所Ｐ１の壁面に、例えば数十ｍｍ間隔で左右に隣合うように、近接して配置される。設置場所Ｐ１は、設置場所Ｐ２，Ｐ３よりも人通りが多い。このため、広告主は、ポスタ４０を２枚配置して、広告効果（掲示効果）の向上を図っている。なお、掲示部３０−Ｐ１（１），３０−Ｐ１（２）は、上下に並べて配置されていてもよい。
一方、掲示部３０−Ｐ２，３０−Ｐ３は、設置場所Ｐ２，Ｐ３にそれぞれ単独で配置される。
【００２５】
掲示部３０のＩＣチップ３２は、それぞれ設置場所Ｐに対応した設置場所情報を記憶している。設置場所情報は、テキスト情報である。
掲示部３０−Ｐ１（１）のＩＣチップ３２−Ｐ１（１）の設置場所情報Ｐ１（１）は、「Ａ駅東口左側」というテキスト情報であり、また、掲示部３０−Ｐ１（２）のＩＣチップ３２−Ｐ１（２）の設置場所Ｐ１（２）は、「Ａ駅東口右側」というテキスト情報である。このため、広告システム１は、ＩＣチップ３２−Ｐ１（１），３２−Ｐ１（２）の情報に基づいて、近接する掲示部３０であっても判別できる。
一方、掲示部３０−Ｐ２のＩＣチップ３２−Ｐ２の設置場所情報Ｐ２は、「Ｂ駅西口」というテキスト情報であり、また、掲示部３０−Ｐ３のＩＣチップ３２−Ｐ３の設置場所情報Ｐ３は、「Ｃ駅南口」というテキスト情報である。
【００２６】
ポスタ４０は、全て同じものである。このため、ポスタ４０のＩＣチップ４２のＵＲＬ情報４２ａは、同一である。
【００２７】
配信サーバ５０は、ＷＥＢサーバとして機能するコンピュータである。
配信サーバ５０は、記憶部５１、制御部５２を備える。
記憶部５１は、配信サーバ５０の動作に必要なプログラム、情報等を記憶する半導体メモリ素子、ハードディスク等の記憶装置である。
記憶部５１は、ＵＲＬ情報５１ａ、配信情報記憶部５１ｂを有する。
【００２８】
ＵＲＬ情報５１ａは、ＩＣチップ４２のＵＲＬ情報４２ａに対応した情報を記憶する記憶領域である。
配信情報記憶部５１ｂは、ＵＲＬ情報５１ａに対応付いた配信情報を記憶する記憶領域である。つまり、配信情報は、ＩＣチップ４２に記憶したＵＲＬ情報４２ａに対応付いている。
配信情報は、画像情報である。配信情報は、ポスタ４０の広告の詳細な情報を記憶している。ポスタ４０は、バーゲン広告に関するものであるので、配信情報は、バーゲンの商品の詳細な情報や、百貨店での催し等に関する情報である。従って、配信情報は、主に、百貨店によって管理される。
なお、配信情報は、画像内にリンク等を設けて、広告のさらに詳細な情報を提供できるようにしてもよい。
【００２９】
このように、広告システム１は、配信情報をＩＣチップ４２ではなく配信サーバ５０に記憶するので、容量の大きい配信情報を記憶できる。また、広告システム１は、日付毎に配信情報を書き換えれば、伝達内容を臨機応変に変更できる。
【００３０】
制御部５２は、配信サーバ５０を統括的に制御するための制御装置であり、例えばＣＰＵ等から構成される。制御部５２は、記憶部５１に記憶された各種プログラムを適宜読み出して実行することにより、前述したハードウェアと協働し、本発明に係る各種機能を実現している。
【００３１】
解析サーバ６０は、携帯端末２０の接続履歴に関する解析処理を行うコンピュータである。
解析サーバ６０は、記憶部６１、制御部６２を備える。
記憶部６１は、解析サーバ６０の動作に必要なプログラム、情報等を記憶する半導体メモリ素子、ハードディスク等の記憶装置である。
記憶部６１は、配信履歴テーブル６１ａを有する。
配信履歴テーブル６１ａは、携帯端末２０からの接続履歴を記憶するテーブルである。
配信履歴テーブル６１ａは、設置場所情報Ｐと、接続数とを対応付けて記憶している。
【００３２】
制御部６２は、解析サーバ６０を統括的に制御するための制御装置であり、例えばＣＰＵ等から構成される。制御部６２は、記憶部６１に記憶された各種プログラムを適宜読み出して実行することにより、前述したハードウェアと協働し、本発明に係る各種機能を実現している。
解析サーバ６０は、広告システム１を運営し、百貨店に提供するシステム運営者（例えば通信事業者等）が管理する。
【００３３】
広告システム１の処理、利用方法について説明する。
（携帯端末２０、配信サーバ５０の処理）
図５は、第１実施形態の携帯端末２０、配信サーバ５０の処理のフローチャートである。
最初に、利用者は、携帯端末２０をかざし領域４６にかざす（図３参照）。これにより、携帯端末２０のループアンテナ２１と、ポスタ４０のループアンテナ４１及び掲示部３０のループアンテナ３１とが信号伝達可能な程度に近付く。
ステップＳ（以下「Ｓ」という）１において、携帯端末２０の制御部２４は、ループアンテナ２１及びポスタ４０のループアンテナ４１を介して、ポスタ４０のＩＣチップ４２から接続先情報４２ａを読み出して取得する。また、制御部２４は、ループアンテナ２１及び掲示部３０のループアンテナ４１を介して、掲示部３０のＩＣチップ３２から設置場所情報Ｐを読み出して取得する。制御部２４は、同時若しくはステップ的にこれらを読み出す。
Ｓ２において、携帯端末２０の制御部２４は、ＵＲＬ情報４２ａに基づいて配信サーバ５０に接続し、設置場所情報Ｐ及びＵＲＬ情報４２ａを配信サーバ５０に送信する。
【００３４】
Ｓ３において、配信サーバ５０の制御部５２は、携帯端末２０から接続されると、設置場所情報Ｐ及びＵＲＬ情報４２ａを受信する。
Ｓ４において、配信サーバ５０の制御部５２は、受信したＵＲＬ情報４２ａに基づいて、ＵＲＬ情報５１ａに対応付いた配信情報記憶部５１ｂから、配信情報を読み出して携帯端末２０に配信する。
Ｓ５において、配信サーバ５０の制御部５２は、設置場所情報Ｐを解析サーバ６０に送信する。
Ｓ６において、配信サーバ５０の制御部５２は、配信サーバ５０側の処理を終了する。
【００３５】
Ｓ７において、携帯端末２０の制御部２４は、配信情報を受信すると表示部２２に表示する。
Ｓ８において、携帯端末２０の制御部２４は、携帯端末２０側の処理を終了する
以上の処理によって、携帯端末２０は、ポスタ４０の広告のより詳細な配信情報を、利用者に対して伝達できる。
【００３６】
（解析サーバ６０の処理）
解析サーバ６０の制御部６２は、配信サーバ５０が送信した設置場所情報Ｐ（Ｓ５参照）を受信すると、設置場所情報Ｐ毎に接続数をカウントし、配信履歴テーブル６１ａを更新する。つまり、制御部６２は、携帯端末２０が配信情報を閲覧する毎に、設置場所情報Ｐ毎に接続数をカウントすることになる。このようにして、制御部６２は、設置場所Ｐ毎の接続数を解析する。
なお、解析方法は、これに限定されない。例えば、解析サーバ６０は、設置場所情報Ｐの各受信履歴を記憶しておいて、管理者等によるキーボード等の操作部の操作に応じて、設置場所情報Ｐ毎に受信履歴をカウントしてもよい。
【００３７】
このように、システム運営者は、この接続数、つまりポスタ４０の設置場所Ｐ毎の利用頻度の解析結果を、広告システム１のサービスの一環として、百貨店に提供できる。百貨店は、利用頻度の解析結果を、広告効果（どの位置に掲示したポスタ４０を利用者がよく見ているか等）を調べることができる。
また、広告システム１は、掲示部３０−Ｐ１（１），３０−Ｐ１（２）等のように、数十ｍｍ間隔で近接して配置したものや、上下に配置したものであっても判別して接続数を解析できる。これにより、広告システム１は、例えばＧＰＳ機能を利用するよりも、より詳細に解析できる。
【００３８】
以上説明したように、本実施形態の広告システム１によれば、利用者は、携帯端末２０をポスタ４０にかざすことにより、広告に関するより詳細な情報を得ることができる。また、最寄りの店舗情報など広告及び設置場所に応じた詳細な情報を簡易的に入手することができる。一方、広告主、システム運営者等は、各ポスタ４０の利用頻度、すなわち広告の効果を調べることができる。
【００３９】
（第２実施形態）
次に、本発明の第２実施形態について説明する。
なお、以下の説明及び図面において、前述した第２実施形態と同様の機能を果たす部分には、同一の符号又は末尾（下２桁）に同一の符号を付して、重複する説明を適宜省略する。
【００４０】
図６は、第２実施形態の広告システム２０１の基本構成を説明する図である。
なお、図示及び詳細な説明は省略するが、広告システム２０１は、第１実施形態と同様に、複数の設置場所に配置された掲示部２３０と、掲示部２３０に掲示されたポスタ２４０を備える。また、広告システム２０１は、第１実施形態と同様な配信サーバ、解析サーバを備え、携帯端末２２０がこれらと通信する。
ポスタ２４０は、電気的に接続された２つのループアンテナ２４１ａ（媒体第１ループアンテナ）、ループアンテナ２４１ｂ（媒体第２ループアンテナ）を備える。
ループアンテナ２４１ａは、携帯端末２２０のループアンテナ２２１との間で信号伝達するためのものである。
このため、ポスタ２４０の広告面は、ループアンテナ２４１ａに対応したかざし領域（図２（ｂ）に示すかざし領域４６参照）に、印刷（図２（ｂ）に示す印刷４６ａ参照）を有する。
【００４１】
ループアンテナ２４１ｂは、掲示部２３０のループアンテナ２３１との間で信号伝達するためのものである。ループアンテナ２２１の電磁誘導によって、ループアンテナ２４１ａに交流の電流が流れると、これに応じて、ループアンテナ２４１ｂにも交流の電流が流れる。これにより、ループアンテナ２４１ｂと、掲示部２３０のループアンテナ２３１とが信号伝達できる。
【００４２】
掲示部２３０のループアンテナ２３１は、ループアンテナ２４１ｂに対応した位置に配置される。
また、図示及び詳細な説明は省略するが、パネルの凹部（図２（ｂ）に示すパネル３５の凹部３５ａ参照）は、ポスタ２４０が掲示部２３０に取り付けられた状態で、２つのループアンテナ２４１ａ，２４１ｂを収容できるように、開口面積を大きくしている。
【００４３】
上記構成により、携帯端末２２０の制御部２２４は、ポスタ２４０のループアンテナ２４１ａを介して、ポスタ２４０のＩＣチップ２４２からＵＲＬ情報を取得する。
また、携帯端末２２０の制御部２２４は、ポスタ２４０ループアンテナ２４１ａ，２４１ｂ及び掲示部２３０のループアンテナ２３１を介して、掲示部２３０のＩＣチップ２４２から設置場所情報を取得する。
このため、携帯端末２２０のループアンテナ２２１は、ループアンテナ２４１ａに接続すれば、ループアンテナ２３１にも確実に接続できる。そのため、携帯端末２２０は、ＩＣチップ２３２及びＩＣチップ２４２の一方のみと通信することが抑制されるので、安定して通信でき、ＩＣチップ２３２，２４２の両方から確実に情報を取得できる。
【００４４】
以上説明したように、本実施形態の広告システム２０１は、携帯端末２２０と、掲示部２３０のＩＣチップ２３２及びポスタ２４０のＩＣチップ２４２とが、安定して通信できる。
【００４５】
以上、本発明の実施形態について説明したが、本発明は前述した実施形態に限定されるものではなく、後述する変形形態のように種々の変形や変更が可能であって、それらも本発明の技術的範囲内である。また、実施形態に記載した効果は、本発明から生じる最も好適な効果を列挙したに過ぎず、本発明による効果は、実施形態に記載したものに限定されない。なお、前述した実施形態及び後述する変形形態は、適宜組み合わせて用いることもできるが、詳細な説明は省略する。
【００４６】
（変形形態）
（１）実施形態において、設置場所情報は、テキスト情報である例を示したが、これに限定されない。例えば、設置場所情報は、緯度経度の情報でもよい。また、設置場所情報は、掲示部の識別情報（数値等）であってもよい。この場合には、解析サーバの記憶部に、掲示部の識別情報と、設置場所の地名等とを対応付けて記憶しておけば、解析サーバは、掲示部の識別情報に基づいて、設置場所を特定できる。
【００４７】
（２）実施形態において、各ループアンテナは、電磁誘導方式で通信する例を示したが、これに限定されない。例えば、各ループアンテナは、電磁結合方式で可能してもよい。
【００４８】
（３）実施形態において、表示媒体は、ポスタである例を示したが、これに限定されない。表示媒体は、例えば、ＰＯＰ広告等であってもよい。
【００４９】
（４）実施形態において、配信情報は、画像データの例を示したが、これに限定されない。例えば、配信情報は、音声情報や、動画データであってもよい。配信情報が音声情報である場合には、情報端末のスピーカ等が、音声情報を出力すればよい。
【符号の説明】
【００５０】
１，２０１  広告システム
２０，２２０  携帯端末
２１，３１，４１，２２１，２３１，２４１ａ，２４１ｂ  ループアンテナ
２２  表示部
２４，５２，６２，２２４  制御部
３０，３０−Ｐ１（１），３０−Ｐ１（２），３０−Ｐ２，３０−Ｐ３，２３０  掲示部
３２，３２−Ｐ１（１），３２−Ｐ１（２），３２−Ｐ２，３２−Ｐ３，４２，２３２，２４２  ＩＣチップ
４０，２４０  ポスタ
４２ａ  ＵＲＬ情報
５０  配信サーバ
５１ｂ  配信情報記憶部
６０  解析サーバ
６１ａ  配信履歴テーブル
Ｐ，Ｐ１（１），Ｐ１（２），Ｐ２，Ｐ３  設置場所情報
【図１】
0006031837.tif 000002
【図２】
0006031837.tif 000003
【図３】
0006031837.tif 000004
【図４】
0006031837.tif 000005
【図５】
0006031837.tif 000006
【図６】
0006031837.tif 000007